(57)【要約】【課題】 外観の見た目がよく、コンポスト取出ガイドにうっかり脚やひざを引っ掛ける不具合のない使い勝手の良い厨芥処理機を提供すること。コンポスト排出に際し、匂いの広がりを抑えられる厨芥処理機を提供すること。【解決手段】 外枠本体の前面側に着脱自在に取り付けられる前パネルカバーで前面側の排出口を覆うようにしたことを特徴とする。排出口のまわり近傍に、処理槽から排出されるコンポストが収められるコンポスト収納袋の口部を保持する保持部を設けたことを特徴する。【選択図】図２
2008290076.tif 000002
【特許請求の範囲】
【請求項１】
内部に処理槽を有し、前側面の間口巾より側面側の巾が広く、かつ側面側の巾よりも縦長の外枠本体と、
前記処理槽に備わる回転自在なる撹拌体と、
記前側面に設けられ、かつ処理槽に連通するコンポスト排出口と、
前記前面側に着脱自在に取り付けられ、かつ前記コンポスト排出口を覆う前パネルカバーを有することを特徴とする厨芥処理機。
【請求項２】
請求項１記載の厨芥処理機において、
前パネルカバーは、横断面が前方に膨出する円弧曲形状を有することを特徴とする厨芥処理機。
【請求項３】
請求項１記載の厨芥処理機において、
前パネルカバーは、裏面側に付属品の収納ボックスを有することを特徴とする厨芥処理機。
【請求項４】
請求項３記載の厨芥処理機において、
前記収納ボックスが、前記前パネルカバーの裏面と、前パネルカバーの裏面側に設けた仕切り板で形成されることを特徴とする厨芥処理機。
【請求項５】
請求項１記載の厨芥処理機において、
前記外枠本体の下部側には、前記前面側よりも前方に突き出し、かつ前記パネルカバーの下側を載せるパネルカバー支持台を設け、
前記外枠本体の下部側には、前記前面側よりも前方に突き出た前記前パネルカバーの上側を保持するパネルカバー保持台を設けたことを特徴とする厨芥処理機。
【請求項６】
請求項５記載の厨芥処理機において、
パネルカバー支持台およびパネルカバー保持台の表面側が、前記前パネルカバーの表面側と面一であることを特徴とする厨芥処理機。
【請求項７】
請求項５記載の厨芥処理機において、
前記前パネルカバーの上側および下側が、前記パネルカバー保持台と前記外枠本体の前面にそれぞれ着脱自在に係止されていることを特徴とする厨芥処理機。
【請求項８】
請求項７記載の厨芥処理機において、
前記前パネルカバーの上側には、前記パネルカバー保持台の係止穴に着脱自在に係合する係合突起を設け、
前記前パネルカバーの下側には、前記外枠本体の前面側の係止溝に着脱自在に係合する弾性の係合爪を設けたことを特徴とする厨芥処理機。
【請求項９】
請求項５記載の厨芥処理機において、
前記パネルカバー保持台の上面側に、小物等が入る程度の大きさを有する小物入凹部を設けたことを特徴とする厨芥処理機。
【請求項１０】
請求項５記載の厨芥処理機において、
前記外枠本体前面の上部に設けられたパネルカバー保持台の内部の空間部に芳香剤、除虫剤、脱臭剤、除湿剤、マイナスイオン発生器、などを収容することを特徴とする厨芥処理機。
【請求項１１】
請求項８記載の厨芥処理機において、
前記前パネルカバーの下側には、前記係合爪の近傍に指がかかる取っ手を設けたことを特徴とする厨芥処理機。
【請求項１２】
請求項５記載の厨芥処理機において、
前記パネルカバー支持台は、前記外枠本体の底に取り付ける底ベースと一体に形成されていることを特徴とする厨芥処理機。
【請求項１３】
請求項１２記載の厨芥処理機において、
前記底ベースの外周側面に、前記外枠本体の内部に備わる機器等から発生する熱を逃がす排気口を有することを特徴とする厨芥処理機。
【請求項１４】
請求項１２記載の厨芥処理機において、
キャスタが付く載置台を備え、
前記載置台に生ごみ処理機の本体を載置することを特徴とする厨芥処理機。
【請求項１５】
請求項１２記載の厨芥処理機において、
キャスタが付き、かつ収納部を有する丈のある載置台を備え、
前記載置台に生ごみ処理機の本体を載置することを特徴とする厨芥処理機。
【請求項１６】
請求項１５記載の厨芥処理機において、
前記載置台と前記底ベースは、外周側が面一であることを特徴とする厨芥処理機。
【請求項１７】
請求項１４または１５記載の厨芥処理機において、
前記載置台と生ごみ処理機の本体はロック手段で結合されることを特徴とする厨芥処理機。
【発明の詳細な説明】
【技術分野】
【０００１】
本発明は、台所等から出る厨芥をコンポストに処理する厨芥処理機（生ごみ処理機）に関するものである。
【背景技術】
【０００２】
従来の厨芥処理機は、例えば特許文献１に開示されているように、外枠本体の前面側に処理槽で処理したコンポストを排出する排出口が外枠本体の前面側に設けられていた。
【０００３】
【特許文献１】特開２００２−３６１２１１号公報（段落番号００２５〜００２８、                  図１、図３）
【発明の開示】
【発明が解決しようとする課題】
【０００４】
近年の厨芥処理機は、台所に置かれて使用される場合が多く、外枠本体の前面側に排出口、シャッター、コンポスト取出ガイドが露出しているため体裁がよくなく、台所を使う者が、うっかりして排出口、シャッター、コンポスト取出ガイドに触りかねないのでよくない。
【０００５】
本発明の上記の問題に対処し、外観の見た目もよく、体裁が良く、うっかりしてシャッター、コンポスト取出ガイドに触れることのない衛生的で使い勝手の良い厨芥処理機を提供することを目的とする。
【０００６】
また、従来、厨芥処理機から排出されるコンポストは、バケツ等の容器に受けるようにしていたので、匂いが台所に広がる不具合があった。
【０００７】
本発明は、その問題に対処し、匂いの広がりを抑えてコンポストの排出させることが厨芥処理機を提供することを目的とする。
【課題を解決するための手段】
【０００８】
本発明は、外枠本体の前面側に着脱自在に取り付けられる前パネルカバーで前面側の排出口を覆うようにした。
【０００９】
また、本発明は、排出口のまわり近傍に、処理槽から排出されるコンポストが収められるコンポスト収納袋の口部を保持する保持部を設けた。
【発明の効果】
【００１０】
本発明によれば、排出口が隠されて外観の見た目が良くなり、コンポストが排出口から直にコンポスト収納袋に収められるの匂いの漏れ出しが少なく、台所に匂いが広がらない。
【発明を実施するための最良の形態】
【００１１】
本発明の実施例について、図１〜図２３を引用して説明する。
【００１２】
まず、主に図１〜図８を引用して厨芥処理機（生ごみ処理機）の概要から説明して行く。
【００１３】
本体枠体１の内部には、処理槽２が設けられる。処理槽２には、回転自在なる撹拌体３が備わる。処理槽２の上側は、厨芥を投入する投入口４が設けられ、この投入口４を開け閉めする上蓋５が本体枠体１の上部に備わる。
【００１４】
処理槽２の下部になる本体枠体１の内部空間には、撹拌体３を駆動するモータ６、処理槽２内で発生する匂いを抜く排気ファンモータ７、これらの各種機器を制御する制御器等が備わる。処理槽２の外表面には、加熱用のヒータが備えられ、処理槽２を加熱することで、高温バイオの処理能力を高めるようにしている。
【００１５】
本体枠体１は、前面側の間口巾より側面側の巾が広く、かつ側面側の巾よりも縦長の全体が箱形をなしている。撹拌体３の回転軸の軸心が、本体枠体１の両側面側を貫く方向に置かれ、撹拌翼８が回転軸に放射状に配置されている。
【００１６】
処理槽２の後面側（本体枠体１の後面側にあたる）の位置には、固定刃９が設けられる。処理槽２の前面側には、本体枠体１の前面側に設けたコンポスト排出口１０に連通するコンポストの出口が設けられている。撹拌体３が反時計方向に回されることで、厨芥が固定刃９で破砕されながら分解処理されてコンポストになる。コンポストの排出は、撹拌体３を時計方向に回して行なわれる。この方向の回転で、撹拌翼８はコンポストを掬い上げるようにして排出させる。
【００１７】
処理槽２、本体枠体１は合成樹脂で形成されるが、処理槽２は耐熱性の高い材料を使用するので、加熱用のヒータの加熱に耐える。
【００１８】
本体枠体１の前面側に設けたコンポスト排出口１０には、開閉自在なる排出口シャッター２０が備わる。排出口シャッター２０は、コンポスト排出口１０の上側に位置する回動支点を支点として上側に跳ね上がるように開く作動をする。排出口シャッター２０の
排出口シャッター２０の開閉は、シャッターロックつまみ２１をつまんで行う。排出口シャッター２０を閉じ、シャッターロックつまみ２１を下方にスライド移動させることで、排出口シャッター２０のロックが行われる。このロックで、厨芥処理機の運転中に排出口シャッター２０が自然に開いて、コンポストや未処理の厨芥が排出されることが起きないので、衛生的である。シャッター支え２２は、開いた排出口シャッター２０の先端側を引っ掛けて排出口シャッター２０を開いた状態に保つ。
【００１９】
コンポスト取出ガイド２３は、コンポスト排出口１０の下側付近に斜め下方に延びるように存在する。この庇のようなコンポスト取出ガイド２３を設けることで、コンポスト排出口１０から排出されるコンポストを溢さずにバケツ等の容器や後述するコンポスト収納袋にスムーズに入れることができる。コンポスト取出ガイド２３の下方には、受け皿２４が設けられる。バケツ等の容器を外した後に、コンポスト取出ガイド２３から落ちるコンポストは受け皿２４に受けられるので、台所の床に零れることがなく、衛生的である。
【００２０】
排出口シャッター２０の回動支点の上側には、係止突起部２５が設けられる。係止突起部２５は、上向きの立上部を有する。この係止突起部２５とコンポスト取出ガイド２３は、後述するコンポスト収納袋が保持される保持部になる。
【００２１】
本体枠体１の前面側は、側面側とは別体のパネル部材３０になっている。上述したコンポスト排出口１０、排出口シャッター２０、シャッター支え２２は、コンポスト取出ガイド２３、受け皿２４等は、パネル部材３０に設けられているのである。
【００２２】
パネル部材３０は、上側にパネルカバー保持台３１が設けられる。このパネルカバー保持台３１は、横断面（上から見た形状に相当する）が前方に膨出する円弧曲形状を有し、上面側に、小物等が入る程度の大きさを有する小物入凹部３２が設けられている。パネルカバー保持台３１の下面側には係止穴３３が設けられる。パネル部材３０の下端には、係止溝３４が設けられる。この係止溝３４はパネル部材３０の下端を切り欠いたような形成になっている。
【００２３】
底ベース３５は、本体枠体１の底に取り付けられる。底ベース３５や上蓋５等を含めて本体枠体と称することもある。底ベース３５の外周側と本体枠体１の外周側は面一になっている。底ベース３５は、本体枠体１の前面側にあたる前面側のところが前方に突き出るように延在している。この突き出たところは、パネルカバー支持台３６になる。パネルカバー支持台３６は合成樹脂の材料を用いて底ベース３５と一体に形成されている。底ベース３５の外周側面は、外枠本体１の内部に備わる機器等を冷やす外気の吸気口３７を有する。底ベース３５の後面側の外周側面には、図示されていないが、機器等を冷やした後の空気を排出する排気口が設けられる。
【００２４】
パネルカバー支持台３６は、パネルカバー保持台３１と同様、前方に膨出する円弧曲形状（上から見た形状）を有する。
【００２５】
前パネルカバー４０は、本体枠体１の前面側に着脱自在に取り付けられる。この前パネルカバー４０で、本体枠体１の前面側に存在するコンポスト排出口１０、排出口シャッター２０、シャッター支え２２、コンポスト取出ガイド２３、受け皿２４等は覆われて隠されるので、厨芥処理機の外観体裁が良くなる。また、排出口シャッター２０、コンポスト取出ガイド２３にうっかり脚やひざを引っ掛ける不具合も無くなり使い勝手がよくなる。
【００２６】
また前パネルカバー４０は、下側がパネルカバー支持台３６に載置されるとともに、上側がパネルカバー保持台３１に保持されるように置かれる。しかも、前パネルカバー４０は、パネルカバー保持台３１やパネルカバー支持台３６と同様に、横断面が前方に膨出する円弧曲形状を有する。このため、前パネルカバー４０の外周側は、パネルカバー保持台３１やパネルカバー支持台３６の外周側と揃って面一（段差なし）の形態で、上から下まで連なったスッキリした様相を呈する見た目の良いものである。
【００２７】
またパネルカバー保持台３１の内部の空間部を利用して芳香剤、除虫剤、脱臭剤、除湿剤、マイナスイオン発生器などを収容することにより、空間を有効に利用できる。
【００２８】
前パネルカバー４０は合成樹脂で形成される。前パネルカバー４０の天板部４１と底板部４２は、前パネルカバー４０を円弧曲形状に保たせる補強になる。前パネルカバー４０の裏面側には、半円弧状の空間を利用して付属品の収納ボックス４３が設けられる。収納ボックス４３は、前パネルカバー４０の裏面、仕切り板４４、底板部４２等で形成される。この収納ボックス４３には、コンポスト用のスコップ４５やキッチンブラシ４６を含む付属品等が収納される。また仕切り板４４には、輪ゴムを掛ける輪ゴム掛４７が設けられる。
【００２９】
このように前パネルカバー４０は、本体枠体１の前面側に存在する排出口シャッター２０、コンポスト取出ガイド２３等を単に覆うだけに止まらず、厨芥処理機の付属品や台所で使用する小物類が収められる機能も併されたので、厨芥処理機の使い勝手がさらに向上した。
【００３０】
前パネルカバー４０の天板部４１には立ち上がる係合突起５０が、底板部４２には係合爪５１が設けられる。係合爪５１は底板部４２の中央部に設けられ、かつ両側にスリットが設けられているので、曲がり易い弾性をもったものになっている。また係合爪５１の先端側に凸部をつけている。前パネルカバー４０の下側には、係合爪５１の近傍に指がかかる取っ手５２が設けられる。
【００３１】
前パネルカバー４０は、係合突起５０が前述したパネルカバー保持台３１の係止穴３３に、係合爪５１が前述したパネル部材３０の係止溝３４にそれぞれ係合することで、本体枠体１の前面側に脱落することなく取り付けられる。
【００３２】
前パネルカバー４０の取り付けは、図７、図８に示すように行なう。前パネルカバー４０の上側の係合突起５０をパネルカバー保持台３１の係止穴３３に係合した後に、前パネルカバー４０の下側をパネルカバー支持台３６に載せて本体枠体１の前面側に押し付けることで、係合爪５１が係止溝３４に係合して前パネルカバー４０が本体枠体１に取り付けられる。係合爪５１の先端側の凸部が係止溝３４の内側に引っ掛かるので、係合爪５１と係止溝３４との係合がさらに確実になり、前パネルカバー４０はしっかりと取り付けられるのである。
【００３３】
前パネルカバー４０を外すときは、図５に示すように行なう。前パネルカバー４０の下側の取っ手５２に指を掛けて手前に引くことで、係止溝３４から係合爪５１が外れるので、簡単に前パネルカバー４０を本体枠体１から取り外すことができる。
【００３４】
補助脚５３は、本体枠体１の底ベース３５の下面に取り付けられる。この補助脚５３は、本体枠体１の側面側より外側に突き出るように配置することで、本体枠体１の据付安定さが増す。
【００３５】
前述したように、本体枠体１は、前面側の間口巾より側面側の巾が広く、かつ側面側の巾よりも縦長の全体が箱形をなしている。このような縦に細長い形状にすることで、台所の狭いスペースに据付できるメリットがある。その反面、据付面で不安定であるので、それを補うために補助脚５３を用いるのである。
【００３６】
次に、図９〜図１７を主に引用してコンポスト収納袋およびコンポスト収納袋の取り付け、取り外しについて主に説明する。
【００３７】
まず、コンポスト収納袋６０（市販のポリ袋）の取り付けに際しては、図９、図１０に示すように前パネルカバー４０を本体枠体１から取り外して本体枠体１の前面側を開放する。
【００３８】
図１１に示すように、コンポスト収納袋６０の口部を窄めて輪ゴム６１を取り付け、口部の先端側を外周側に折り返す。そして、コンポスト収納袋６０の口部を、図１２に示すように、コンポスト排出口１０のまわりあたり／まわり近傍に設けた保持部（コンポスト取出ガイド２３および係止突起部２５）に取り付ける。
【００３９】
すなわち、前もって、排出口シャッター２０を閉じて置いたもとで、コンポスト収納袋６０の口部の上側部位を係止突起部２５に引っ掛け、さらに少し斜めに起こされているコンポスト取出ガイド２３に口部の下側部位を引っ掛けることにより、輪ゴム６１の締め付け力でコンポスト収納袋６０の口部が広がることなく、コンポスト排出口１０のまわりの保持部にしっかりと取り付けられる。コンポスト収納袋６０の口部が緩んで保持部から外れてしまうことが起きないので、コンポスト収納袋６０の外にコンポストが零れることはない。
【００４０】
コンポスト収納袋６０を取り付けたら、図１３に示すように、シャッターロックつまみ２１をコンポスト収納袋６０の上からつまんで排出口シャッター２０を開き、図１４に示すようにコンポスト排出運転を５分程度行うことで、処理槽２内のコンポストがコンポスト収納袋６０に排出される。
【００４１】
コンポスト排出運転が終了したら、図１５に示すようにコンポスト収納袋６０の口部の上側部位を係止突起部２５から外し、口部の下側部位をコンポスト取出ガイド２３に引っ掛けたままで、図１６に示すように、コンポスト取出ガイド２３の上に残っているコンポストをキッチンブラシでかき落とす。
【００４２】
コンポストのかき落が済んだら、コンポスト収納袋６０の口部の下側部位をコンポスト取出ガイド２３から外し、図１７に示すように、シャッターロックつまみ２１をつまんで排出口シャッター２０を閉じる。そして、シャッターロックつまみ２１を下方にスライトさせて排出口シャッター２０のロックをすることで、次の運転に備えられる。
【００４３】
このように、厨芥処理機で処理されたコンポストは、コンポスト排出口１０からコンポスト収納袋６０に直に排出されるので、バケツ等の容器にコンポストを排出するものに比べ、コンポストの匂いの漏れ出しがほとんどなく、台所に匂いが広がらない。
【００４４】
また、コンポスト収納袋６０の口部がコンポスト排出口１０の保持部に輪ゴムでしっかりと締め付けられているもとで、コンポストの排出が行われるため、口部の取り付け部分からの匂いの漏れ出しを一層抑えることができ、口部の取り付け部分
しかも、輪ゴムでしっかりと締め付けられているので、口部が緩んで外れることもなく、排出中にコンポストが零れる不具合が生じない。
【００４５】
さらに、輪ゴムを用いているため、コンポスト収納袋６０の着脱に際し、口部は容易に広がるので、コンポスト排出口１０の保持部への着脱が容易にできる。
【００４６】
次に図１８〜図２３を引用して主に引用して厨芥処理機を載置させる載置台に関して説明する。
【００４７】
図２０に示す厨芥処理機は、キャスタ６５が付き、かつ収納部を有する丈のある載置台６６に本体枠体１を載置したもので、キッチン台６７の脇に置かれている。
【００４８】
図１９に示す厨芥処理機は、キャスタ６５が付きの載置台６８に本体枠体１を載置したもので、キッチン台６７の脇に置かれている。
【００４９】
図１８に示す厨芥処理機は、載置台に載置しない本体枠体１をキッチン台６７の脇に置いたものである。
【００５０】
載置台６８、載置台６６には、いずれもキャスタ６５が付いているので、厨芥処理機を容易に移動させることができる。調理する際には、厨芥処理機をキッチン台６７の脇に置き、調理を済ませたら台所の隅に仕舞うことが容易にできる使い勝手の良いものである。また、載置台６６は収納部を有するので、小物や補助脚５３等の収納に利用できる。
【００５１】
載置台６８、載置台６６外周側は、前面側の一部を除いて、底ベースの外周側と概ね面一になっているので、段付のない見た目の良い外観である。
【００５２】
本体枠体１が載置台６８、載置台６６から脱落しないようにロック手段で結合されている。図２１、図２２を引用して述べる。
【００５３】
すなわち、図２１に示すように載置台６８の上に本体枠体１を載置し、さらに後方に本体枠体１に少し移動させることで、本体枠体１と載置台６８がロック手段で結合される。ロック手段は、図２１に示す受け部７０と、図２２に示される突起部７１で形成される。本体枠体１を後に少し移動させることで、突起部７１が受け部７０に嵌合してロック手段による結合が行われるのである。
【００５４】
また載置台に載置された厨芥処理機は移動が容易であるので、キャスタ付きのキッチンキーパー７２、キャスタ付きの精米機７３等と併せて使い易いように容易に配置変えをすることができる。
【００５５】
なお、ここで述べた図９〜図１７の図示は、厨芥処理機が後述するキャスタ付の載置台に載置された形態を示しているが、載置台を用いない場合でも同様にコンポスト収納袋の取り付け、取り外しは行われる。
【図面の簡単な説明】
【００５６】
【図１】本発明の実施例にかかわるもので、厨芥処理機の縦断面図。
【図２】本発明の実施例にかかわるもので、内部の一部を透視した厨芥処理機の斜視図。
【図３】本発明の実施例にかかわるもので、前パネルカバーが外された厨芥処理機の斜視図。
【図４】図２の（イ）―（イ）断面を示す一部分図。
【図５】本発明の実施例にかかわるもので、前パネルカバーを外すところを示す図。
【図６】本発明の実施例にかかわるもので、前パネルカバーの裏側内部を示す図。
【図７】本発明の実施例にかかわるもので、前パネルカバーを取り付け始めるところを示す図。
【図８】本発明の実施例にかかわるもので、前パネルカバーを取り付け終えるところを示す図。
【図９】本発明の実施例にかかわるもので、丈のある載置台に載置した厨芥処理機の前パネルカバーを外すところを示す図。
【図１０】本発明の実施例にかかわるもので、図９に示す厨芥処理機から前パネルカバーを外してしまった状態を示す図。
【図１１】本発明の実施例にかかわるもので、厨芥処理機に取り付ける前にコンポスト収納袋の口部に輪ゴムを取り付ける様子を示す図。
【図１２】本発明の実施例にかかわるもので、コンポスト収納袋を厨芥処理機に取り付けているところを示す図。
【図１３】本発明の実施例にかかわるもので、コンポスト収納袋を厨芥処理機に取り付けた後に排出口シャッターを開くところを示す図。
【図１４】本発明の実施例にかかわるもので、コンポスト収納袋にコンポストを排出しているところを示す図。
【図１５】本発明の実施例にかかわるもので、生ごみ処理機からコンポスト収納袋の上部側を外したところを示す図。
【図１６】本発明の実施例にかかわるもので、厨芥処理機からコンポスト収納袋の上部側を外し、かつコンポスト取出ガイドに残るコンポストをブラシではき落とすところ示す図。
【図１７】本発明の実施例にかかわるもので、厨芥処理機からコンポスト収納袋を外し、かつ排出口シャッターを閉じるところを示す図。
【図１８】本発明の実施例にかかわるもので、厨芥処理機をキッチン台の脇に沿うように置いた状態を示す図。
【図１９】本発明の実施例にかかわるもので、キャスタ付の載置台に載った厨芥処理機をキッチン台の脇に沿うように置いた状態を示す図。
【図２０】本発明の実施例にかかわるもので、キャスタ付の丈のある載置台に載置した厨芥処理機をキッチン台の脇に沿うように置いた状態を示す図。
【図２１】本発明の実施例にかかわるもので、キャスタ付の丈のある載置台に厨芥処理機を載置する要領を示す図。
【図２２】本発明の実施例にかかわるもので、厨芥処理機の底面側を示す図。
【図２３】本発明の実施例にかかわるもので、キャスタ付の丈のある載置台に載置した生ごみ処理機と、キャスタ付きのキッチンキーパー７２、キャスタ付きの精米機を並べてキッチン台の脇に沿うように置いた状態を示す図。
【符号の説明】
【００５７】
１…本体枠体、２…処理槽、３…撹拌体、１０…コンポスト排出口、２３…コンポスト取出ガイド、２５…係止突起部、４０…前パネルカバー、６０…コンポスト収納袋、６１…輪ゴム。
【図１】
2008290076.tif 000003
【図２】
2008290076.tif 000004
【図３】
2008290076.tif 000005
【図４】
2008290076.tif 000006
【図５】
2008290076.tif 000007
【図６】
2008290076.tif 000008
【図７】
2008290076.tif 000009
【図８】
2008290076.tif 000010
【図９】
2008290076.tif 000011
【図１０】
2008290076.tif 000012
【図１１】
2008290076.tif 000013
【図１２】
2008290076.tif 000014
【図１３】
2008290076.tif 000015
【図１４】
2008290076.tif 000016
【図１５】
2008290076.tif 000017
【図１６】
2008290076.tif 000018
【図１７】
2008290076.tif 000019
【図１８】
2008290076.tif 000020
【図１９】
2008290076.tif 000021
【図２０】
2008290076.tif 000022
【図２１】
2008290076.tif 000023
【図２２】
2008290076.tif 000024
【図２３】
2008290076.tif 000025